(57)【要約】    【課題】  本発明は、回路基板に対するメモリスロットの位置ずれが生じた場合にも、本体シャーシに対するメモリスロットの位置ずれを防止することができる撮像装置を提供する。    【解決手段】  デジタルカメラ２０は、主構造体である本体シャーシ１と、画像情報の処理を行う回路を搭載した回路基板３と、回路基板３を保持する基板保持部材２と、記録媒体を収納するメモリスロット９とを備え、固定ネジ４，５により、メモリスロット９を基板保持部材２に対して位置決めし、位置決めダボ１ａ，１ｂにより、基板保持部材２を本体シャーシ１に対して位置決めする。【選択図】  図１
2006217535.tif 000002
【特許請求の範囲】
【請求項１】
撮像ユニットにより撮像された画像情報を着脱可能な記録媒体に記録する撮像装置において、主構造体である本体シャーシと、前記画像情報の処理を行う回路を搭載した回路基板と、前記回路基板を保持する保持部材と、前記記録媒体を収納する収納部材と、前記収納部材を前記保持部材に対して位置決めする第１の位置決め手段と、前記保持部材を前記本体シャーシに対して位置決めする第２の位置決め手段とを備えることを特徴とする撮像装置。
【請求項２】
前記回路基板は、前記本体シャーシに関して前記撮像装置の背面側に配置されていることを特徴とする請求項１記載の撮像装置。
【請求項３】
前記収納部材は、前記回路基板において前記撮像装置の前面側の面に実装されていることを特徴とする請求項１又は２記載の撮像装置。
【請求項４】
前記第１の位置決め手段は、テーパ形状の頭部を有する皿ネジと、前記保持部材に設けられると共に前記皿ネジの頭部の形状に対応する形状を有する皿穴と、前記収納部材に設けられると共に前記皿ネジに螺合するネジ穴とから成り、前記保持部材は、前記皿ネジにより、前記回路基板を挟んで前記収納部材に固定されることを特徴とする請求項１乃至３のいずれか１項に記載の撮像装置。
【発明の詳細な説明】
【技術分野】
【０００１】
本発明は、撮像装置に関し、特に、撮像ユニットにより撮像された画像情報を着脱可能な記録媒体に記録する撮像装置に関する。
【背景技術】
【０００２】
従来より、デジタル一眼レフカメラ等の撮像装置において、着脱可能なメモリカード等の記録媒体を収納する収納部（以下、「メモリスロット」という。）を備えるものが知られている。
【０００３】
このような撮像装置において、撮像装置の形状、操作性を踏襲した上で、効率的なレイアウトでメモリスロットを確保するため、グリップ内に光軸に平行にメモリスロットを配置することにより、グリップ内の空間を有効に活用することができる撮像装置や（例えば、特許文献１参照）、グリップ内に光軸に対して斜めにメモリスロットを配置することにより、電池収納部やシャッタ駆動機構等とメモリスロットを効率的にレイアウトして小型化を図ることができる撮像装置（例えば、特許文献２参照）が提案されているが、このような撮像装置では、メモリスロットを実装する回路基板と、カメラの主要回路を実装した主回路基板を接続するためにケーブルやフレキシブルプリント基板が必要となり、カメラの内部構成が複雑になる。
【０００４】
よりシンプルな撮像装置の構成として、図４及び図５に示すように、１枚の大きな回路基板をカメラ背面に配置し、メモリスロットをその回路基板の一端部に配置するという構成が提案されている。
【０００５】
図４は、従来のデジタルカメラの内部構成を示す分解斜視図であり、図５は、図４の回路基板１０２の構成を示す平面図である。
【０００６】
図４及び図５において、デジタルカメラ１００は、本体シャーシ１０１と、回路基板１０２と、メモリスロット１０３と、メモリカード１０４とを備える。回路基板１０２は、デジタルカメラ１００の主要回路を実装している。回路基板１０２は、メモリスロット１０３を実装している。メモリスロット１０３は、メモリカード１０４を着脱可能に収納する。
【０００７】
本体シャーシ１０１は、回路基板１０２を位置決めするための位置決めダボ１０１ｂ，１０１ｃを備える。回路基板１０２は、本体シャーシ１０１の位置決めダボ１０１ｂ，１０１ｃに対応する位置に位置決め穴１０２ａ，１０２ｂを備える。回路基板１０２は、位置決めダボ１０１ｂ，１０１ｃによって本体シャーシ１０１に対して位置決めされ、ネジ止め固定されている。
【０００８】
デジタルカメラ１００において、メモリスロット１０３を実装した回路基板１０２を本体シャーシ１０１に対して位置決めすることにより、メモリスロット１０３は本体シャーシ１０１に対して位置決めされる。
【特許文献１】特開平１１−１８７２９４号公報
【特許文献２】特開２００３−１３４４４５号公報
【発明の開示】
【発明が解決しようとする課題】
【０００９】
しかしながら、一般に、電気部品の回路基板への実装位置は、回路基板の外形公差、自動実装マウンタの実装ずれ、リフロー処理の際の部品の移動等、様々な誤差要因を有しているので、回路基板を回路基板に設けられた位置決め穴によって本体シャーシに対して位置決めした場合、回路基板の位置は位置決めできるが、該回路基板上に実装されているメモリスロットは該回路基板上で位置ずれを起こしている場合がある。この場合、本体シャーシに対するメモリスロットの位置ずれが発生する。この位置ずれにより、メモリカード挿抜の際に、メモリスロットの操作部材やメモリカードがカメラの外装部材に対して干渉する等の問題が発生する。
【００１０】
本発明の目的は、回路基板に対するメモリスロットの位置ずれが生じた場合にも、本体シャーシに対するメモリスロットの位置ずれを防止することができる撮像装置を提供することにある。
【課題を解決するための手段】
【００１１】
請求項１記載の撮像装置は、撮像ユニットにより撮像された画像情報を着脱可能な記録媒体に記録する撮像装置において、主構造体である本体シャーシと、前記画像情報の処理を行う回路を搭載した回路基板と、前記回路基板を保持する保持部材と、前記記録媒体を収納する収納部材と、前記収納部材を前記保持部材に対して位置決めする第１の位置決め手段と、前記保持部材を前記本体シャーシに対して位置決めする第２の位置決め手段とを備えることを特徴とする。
【発明の効果】
【００１２】
請求項１記載の撮像装置によれば、第１の位置決め手段は、記録媒体を収納する収納部材を、画像情報の処理を行う回路を搭載した回路基板を保持する保持部材に対して位置決めし、第２の位置決め手段は、保持部材を主構造体である本体シャーシに対して位置決めするので、回路基板に対するメモリスロットの位置ずれが生じた場合にも、本体シャーシに対するメモリスロットの位置ずれを防止することができる。  
【発明を実施するための最良の形態】
【００１３】
以下、本発明の実施の形態を図面を参照しながら詳述する。
【００１４】
図１は、本発明の実施の形態に係る撮像装置の内部構成を示す分解斜視図である。
【００１５】
図１において、デジタルカメラ２０（撮像装置）は、主構造体である本体シャーシ１と、基板保持部材２と、回路基板３と、固定ネジ４〜８と、メモリスロット９（収納部材）とを備える。回路基板３は、本体シャーシ１に関してデジタルカメラ２０の背面側（以下、「カメラ背面側」という。）に配置されている。
【００１６】
本体シャーシ１は、基板保持部材２を位置決めするための位置決めダボ１ａ，１ｂを有する。基板保持部材２は、本体シャーシ１の位置決めダボ１ａ，１ｂに対応する部分に、それぞれ位置決め穴（不図示）を備える。
【００１７】
回路基板３は、画像情報の作成、記録、及び読み出しに用いられる回路等、デジタルカメラ２０の主要回路を有する。デジタルカメラ２０の主要回路は、デジタルカメラ２０の背面の広い平面スペースを使用して、回路基板３上に集約して配置されるように構成されている。これにより、大面積の回路基板を配置することができ、主要回路を一枚の回路基板に集約した効率的で低コストな構成を実現することができる。
【００１８】
不図示のメモリカードが着脱可能に収納されるメモリスロット９は、回路基板３において、本体シャーシ１に対向する面、即ちデジタルカメラ２０の前面側の面（以下、「カメラ前面側」という。）に実装されている。基板保持部材２は、図２に示すように、回路基板３を挟んで、固定ネジ４，５によりメモリスロット９にネジ止め固定されている。基板保持部材２において、メモリスロット９をネジ止め固定する部分は、基板保持部材２の本体シャーシ１取り付け面の上下から腕が伸びて、回路基板３の上下からカメラ背面側に回り込んだ先に形成されている。
【００１９】
メモリスロット９をネジ止め固定する部分を本体シャーシ１に一体的に形成してしまうと、メモリスロット９をネジ止め固定する部分は、回路基板３のカメラ背面側に回り込むような形状となっているため、回路基板３を本体シャーシ１に真っ直ぐに組み込むことができず、組立作業が不可能又は困難である。
【００２０】
固定ネジ６により基板保持部材２と本体シャーシ１がネジ止め固定されると共に、固定ネジ７，８により回路基板３と本体シャーシ１がネジ止め固定されることにより、回路基板３が本体シャーシ１に固定される。このとき、基板保持部材２と本体シャーシ１は、本体シャーシ１に設けられた位置決めダボ１ａ，１ｂと基板保持部材２に設けられた位置決め穴（不図示）によって位置決めされている。
【００２１】
回路基板３は、本体シャーシ１のカメラ背面側から真っ直ぐに組み込むことができるように構成されている。
【００２２】
図２は、図１における固定ネジ５の周辺を示す断面図である。
【００２３】
図２において、固定ネジ５は、テーパ形状の頭部を有する皿ネジから成る。基板保持部材２のネジ止め穴部には、固定ネジ５の頭部の形状に対応する形状を有するザグリが施されている。
【００２４】
メモリスロット９は、ネジ山が加工されたバーリング部９ａを有する。バーリング部９ａは、回路基板３側に凸形状を有している。
【００２５】
回路基板３は、この凸形状に対してクリアランスをもって穴部３ａを有する。このクリアランスは、部品形状の公差等によりメモリスロット９が回路基板３に対して位置ずれを起こした場合でも、メモリスロット９の操作部材やメモリカードがデジタルカメラ２０の外装部材に対して干渉することがないようにするために設けられる。
【００２６】
基板保持部材２は、固定ネジ５によって、回路基板３を挟み込む形でメモリスロット９に対してネジ止め固定されている。その際、固定ネジ５の頭部のテーパ形状の当接面と、基板保持部材２のネジ止め穴部のザグリが嵌合することにより、固定ネジ５と基板保持部材２の相対位置が固定された状態で、固定ネジ５がメモリスロット９に固定される。即ち、メモリスロット９と基板保持部材２は相対位置が固定された状態、即ち位置決めされた状態で固定されることとなる。
【００２７】
図２において、固定ネジ５の部分の構成について説明したが、固定ネジ４の部分についても固定ネジ５の部分と同様の構成である。
【００２８】
図１で説明したように、基板保持部材２と本体シャーシ１は互いに位置決めされた状態で固定されているので、結果的に本体シャーシ１とメモリスロット９は相対位置が固定された状態、つまり位置決めされた状態で固定される。
【００２９】
図３は、図１のデジタルカメラ２０におけるメモリスロット９の配置を説明する図であり、デジタルカメラ２０を上面から見た模式図である。
【００３０】
図３において、デジタルカメラ２０ａ，２０ｂは、本体シャーシ１と、回路基板３と、メモリスロット９と、回路基板３に実装された電気部品１０と、撮影レンズ（不図示）により結像された被写体像を撮像して電気信号に変換する撮像素子１１と、カメラ外装１２とを備える。
【００３１】
デジタルカメラ２０ａは、メモリスロット９が回路基板３のカメラ前面側の面に配置されている。これに対し、デジタルカメラ２０ｂは、メモリスロット９が回路基板３のカメラ背面側の面に配置されている。
【００３２】
デジタルカメラ２０ｂのように、メモリスロット９を回路基板３のカメラ背面側の面に配置した場合、カメラの厚さ方向の寸法Ｗ２は、他の電気部品１０に比較して背の高いメモリスロット９の高さにより規制される。
【００３３】
図１のデジタルカメラ２０は、デジタルカメラ２０ａのように、メモリスロット９が回路基板３のカメラ前面側の面に配置されているので、撮像素子１１の横の回路基板３と本体シャーシ１との間のスペースに、メモリスロット９を効率的に配置することができる。この場合、カメラの厚さ方向の寸法Ｗ１は、メモリスロット９に比較して背の低い電気部品１０により規制される。従って、デジタルカメラ２０ａは、デジタルカメラ２０ｂに比べて寸法Ａの分だけ厚み（奥行き）を薄くすることができる。
【００３４】
本実施の形態によれば、固定ネジ５の頭部のテーパ形状の当接面と、基板保持部材２のネジ止め穴部のザグリが嵌合することにより、固定ネジ５と基板保持部材２の相対位置が固定された状態で、固定ネジ５がメモリスロット９に固定されるので、回路基板に対するメモリスロットの位置ずれが生じた場合にも、本体シャーシに対するメモリスロットの位置ずれを防止することができる。また、その結果、メモリカード挿抜の際に、メモリスロットの操作部材やメモリカードがカメラの外装部材に対して干渉するのを防止することができる。
【００３５】
また、カメラの主要回路を１枚の回路基板３に集約することにより、構成の簡略化を実現すると共に、メモリスロット９を効率的に配置することができるので、カメラの小型化が可能となる。
【００３６】
さらに、メモリスロット９と基板保持部材２を固定する固定ネジ５は皿ネジから成るので、別途位置決めを設けることなくメモリスロット９と基板保持部材２を位置決めすることができ、もってカメラの小型化が可能となる。
【図面の簡単な説明】
【００３７】
【図１】本発明の実施の形態に係る撮像装置の内部構成を示す分解斜視図である。
【図２】図１における固定ネジ５の周辺を示す断面図である。
【図３】図１のデジタルカメラ２０におけるメモリスロット９の配置を説明する図である。
【図４】従来のデジタルカメラの内部構成を示す分解斜視図である。
【図５】図４の回路基板１０２の構成を示す平面図である。
【符号の説明】
【００３８】
１  本体シャーシ
１ａ  位置決めダボ
１ｂ  位置決めダボ
２  基板保持部材
３  回路基板
４〜８  固定ネジ
９  メモリスロット
２０  撮像装置
【図１】
2006217535.tif 000003
【図２】
2006217535.tif 000004
【図３】
2006217535.tif 000005
【図４】
2006217535.tif 000006
【図５】
2006217535.tif 000007